(57)【要約】【課題】試験対象機器における耐圧性の合否を正確かつ短時間で判別でき、しかも安価に構成する。【解決手段】試験対象機器Ｍｏの試験端子Ｅ１，Ｅ２に接続した電圧印加用プローブＰ１，Ｐ２間に耐圧試験用電圧を出力可能な電源部１１を備え、電源部１１から耐圧試験用電圧を出力させた状態で耐圧試験を実行可能に構成され、試験端子Ｅ１，Ｅ２に接続した断線検査用プローブＰ３，Ｐ４間を流れる電流を検出する第２電流検出部１５と、各プローブＰ１〜Ｐ４が試験端子Ｅ１，Ｅ２に接続されると共に電圧印加用プローブＰ１，Ｐ２に耐圧試験用電圧が出力されている状態において第２電流検出部１５によって電流が検出されないときに電圧印加用プローブＰ１，Ｐ２の少なくとも一方が断線していると判別する制御部１７とを備えている。【選択図】        図１
2004226179.tif 000002
【特許請求の範囲】
【請求項１】
試験対象機器における一対の試験端子にそれぞれ接続した一対の電圧印加用プローブ間に耐圧試験用電圧を出力可能な電源部を備え、当該電源部から前記電圧印加用プローブ間に前記耐圧試験用電圧を出力させた状態で前記試験対象機器に対する耐圧試験を実行可能に構成された耐圧試験器であって、前記両試験端子にそれぞれ接続した一対の断線検査用プローブ間を流れる電流または当該両断線検査用プローブ間の電圧を検出する検出部と、前記両電圧印加用プローブおよび前記両断線検査用プローブが前記各試験端子にそれぞれ接続されると共に当該両電圧印加用プローブに前記耐圧試験用電圧が出力されている状態において前記検出部によって前記電流または前記電圧が検出されないときに当該両電圧印加用プローブの少なくとも一方が断線していると判別する判別部とを備えている耐圧試験器。
【請求項２】
前記電源部は、前記耐圧試験用電圧の電圧値を設定指示に従って設定可能に構成され、
前記検出部は、前記設定された耐圧試験用電圧の電圧値に予め対応させられたインピーダンス値にその内部インピーダンスを設定可能に構成されている請求項１記載の耐圧試験器。
【発明の詳細な説明】
【０００１】
【発明の属する技術分野】
本発明は、試験対象機器における一対の試験端子に電圧印加用プローブを介して耐圧試験用電圧を印加して耐圧試験を実行可能な耐圧試験器に関するものである。
【０００２】
【従来の技術】
一般的に、電気機器を製造した際には、その電気機器の耐圧性（耐電圧性）を試験する必要があり、その耐圧試験の際には、耐圧試験器が用いられている。この場合、この種の耐圧試験器は、一例として、電気機器における一対の試験端子に接続可能にその一端部に接続具としてのクリップがそれぞれ設けられた一対のプローブ、両プローブの他端部に耐圧試験用電圧を出力する電源部、両試験端子間を流れる電流を検出する電流検出部、検出された電流値を表示する表示部、および電源部による耐圧試験用電圧の出力や表示部による電流値の表示を制御する制御部を備えて構成されている。この耐圧試験器を用いて電気機器の耐圧試験を行う際には、まず、電気機器における一対の試験端子に両プローブのクリップをそれぞれ接続する。次に、制御部が、電源部に対して耐圧試験用電圧を出力させる。この際に、耐圧試験用電圧が両プローブを介して両試験端子に印加されて、電流検出部が両試験端子間を流れる電流を検出する。次いで、制御部は、電流検出部によって検出された電流の電流値を表示部に表示させる。これにより、電気機器の両試験端子間を流れる電流値が表示部に表示される。この際に、ユーザーは、表示された電流値と予め規定されたしきい値とを比較することにより、例えば、電流値がしきい値以下のときには試験対象の電気機器を合格品と判定し、電流値がしきい値を超えているときには不合格品と判定する。
【０００３】
しかしながら、この耐圧試験器に用いられるプローブは、使用の際のケーブルの曲げや経年変化によるケーブルの劣化に起因して断線することがあり、このような事態が発生したときには、電気機器の両試験端子に電圧を印加することができないため、電流値として０（またはプローブのストレー容量に起因する僅かな電流値）が表示部に表示される。この場合、プローブの断線をその外観から判断することは通常困難である。したがって、プローブが断線しているときには、たとえ試験対象の電気機器が不合格品であったとしても、表示される電流値がしきい値以下となる。このため、この耐圧試験器には、ユーザーに対して不合格品を合格品と誤って判定させるおそれがあるという問題点が存在する。
【０００４】
この問題点を解決する技術として、ライン（プローブ）の断線チェック（断線検査）が可能な試験装置（耐圧試験器）が特開平６−１３０１１８号公報に開示されている。この耐圧試験器は、被試験物（試験対象機器）の所定位置（試験端子）に圧接（接続）させられる接触端子（２０），（２０）と、両接触端子の一方から引き出されたライン（３０ａ），（３０ｂ）および両接触端子の他方から引き出されたライン（４０ａ），（４０ｂ）と、ライン（３０ａ），（４０ａ）に高電圧（耐圧試験用電圧）を出力する高電圧発生部（５０）と、各ラインの接続を切り替えるライン切換え機構（６０）と、電源（７１）、電流制御抵抗（７２）および電流計（７３）を備えた断線チェック回路（７０）と、制御部（８０）とを備えて構成されている。
【０００５】
この耐圧試験器による耐圧試験では、まず、制御部が、ライン切換え機構を作動させてライン（３０ａ），（４０ａ）と電源部とを切り離すと共に、各ライン（３０ａ），（３０ｂ），（４０ａ），（４０ｂ）を断線チェック回路に接続する。この際に、断線チェック回路の電流計は、各ラインのいずれかに断線が発生しているときには、電流を検出せずに、断線が発生していないときには、電流を検出する。次に、制御部が、断線チェック回路による電流検出の有無に基づいて各ラインの断線有無を判別する。この際に、制御部は、いずれかのラインが断線していると判別したときには、耐圧試験を中断する。一方、断線が発生していないと判別したときには、制御部は、ライン切換え機構を作動させてライン（３０ａ），（４０ａ）と電源部とを接続する。これにより、接触端子を介して試験対象機器に耐圧試験用電圧が印加される。続いて、制御部は、耐圧試験用電圧が印加された状態の試験対象機器内を流れる電流の電流値に基づいて、試験対象機器の耐圧性の合否を判別してその判別結果を出力する。この場合、この耐圧試験器では、各ラインの断線の有無を判別した後に耐圧試験が行われるため、不合格品を合格品と誤って判別する事態を防止することが可能になっている。
【０００６】
【特許文献１】
特開平６−１３０１１８号公報（第２−３頁、第１図）
【０００７】
【発明が解決しようとする課題】
ところが、ラインの断線検査が可能な従来の耐圧試験器には、以下の問題点がある。すなわち、この耐圧試験器では、耐圧試験に際して、ライン切換え機構を作動させてラインの接続を切り替えて断線検査を行った後に、再びライン切換え機構を作動させてラインの接続を切り替えて耐圧試験用電圧を印加している。したがって、その切替時間の分だけ耐圧試験に要する時間が長時間化するため、耐圧試験の作業効率が悪化しているという問題点が存在する。また、この耐圧試験器では、断線検査を行った後にラインの接続を切り替えているため、例えば断線が発生していないと判別してラインの接続を切り替えた直後に断線が発生したとしても、この断線を検出することができない結果、不合格品を合格品と誤って判別する事態を確実に防止するのが困難であるという問題点が存在する。さらに、この耐圧試験器では、断線検査を行うために、ライン切換え機構が必要となる上に、高電圧発生部としての電源部とは別に断線検査専用の電源部が必要となる。したがって、その分の費用に起因して耐圧試験器の価格が高騰しているという問題点もある。
【０００８】
本発明は、かかる問題点に鑑みてなされたものであり、試験対象機器における耐圧性の合否を正確かつ短時間で判別でき、しかも安価に構成し得る耐圧試験器を提供することを主目的とする。
【０００９】
【課題を解決するための手段】
上記目的を達成すべく請求項１記載の耐圧試験器は、試験対象機器における一対の試験端子にそれぞれ接続した一対の電圧印加用プローブ間に耐圧試験用電圧を出力可能な電源部を備え、当該電源部から前記電圧印加用プローブ間に前記耐圧試験用電圧を出力させた状態で前記試験対象機器に対する耐圧試験を実行可能に構成された耐圧試験器であって、前記両試験端子にそれぞれ接続した一対の断線検査用プローブ間を流れる電流または当該両断線検査用プローブ間の電圧を検出する検出部と、前記両電圧印加用プローブおよび前記両断線検査用プローブが前記各試験端子にそれぞれ接続されると共に当該両電圧印加用プローブに前記耐圧試験用電圧が出力されている状態において前記検出部によって前記電流または前記電圧が検出されないときに当該両電圧印加用プローブの少なくとも一方が断線していると判別する判別部とを備えている。
【００１０】
請求項２記載の耐圧試験器は、請求項１記載の耐圧試験器において、前記電源部は、前記耐圧試験用電圧の電圧値を設定指示に従って設定可能に構成され、前記検出部は、前記設定された耐圧試験用電圧の電圧値に予め対応させられたインピーダンス値にその内部インピーダンスを設定可能に構成されている。
【００１１】
【発明の実施の形態】
以下、添付図面を参照して、本発明に係る耐圧試験器の好適な実施の形態について説明する。
【００１２】
最初に、耐圧試験器１の構成について、図１を参照して説明する。
【００１３】
耐圧試験器１は、電圧印加用プローブＰ１，Ｐ２、断線検査用プローブＰ３，Ｐ４、電源部１１、第１電流検出部１２、記憶部１３、表示部１４、第２電流検出部１５、操作部１６および制御部１７を備え、例えば試験対象機器Ｍｏに対して耐圧試験を実行可能に構成されている。電圧印加用プローブＰ１，Ｐ２は、試験対象機器Ｍｏの試験端子Ｅ１，Ｅ２に接続可能な接続具としての例えばクリップＣ１，Ｃ２が各々の一端部にそれぞれ設けられて構成されている。この場合、電圧印加用プローブＰ１，Ｐ２の各他端部は、接続端子Ｔ１，Ｔ２にそれぞれ接続されている。一方、断線検査用プローブＰ３，Ｐ４は、試験対象機器Ｍｏの試験端子Ｅ１，Ｅ２に接続可能な接続具としての例えばクリップＣ３，Ｃ４が各々の一端部にそれぞれ設けられて構成されている。この場合、断線検査用プローブＰ３，Ｐ４の各他端部は、接続端子Ｔ３，Ｔ４にそれぞれ接続されている。なお、接続端子Ｔ１は耐圧試験器１の内部ケーブルを介して電源部１１の一方の出力部に接続され、接続端子Ｔ２は内部ケーブルおよび第１電流検出部１２を介して電源部１１の他方の出力部に接続されている。また、接続端子Ｔ３，Ｔ４は、第２電流検出部１５の一対の入力部に内部ケーブルを介して接続されている。
【００１４】
電源部１１は、制御部１７によって出力される出力制御信号Ｓａに従って耐圧試験用電圧を生成して出力する。また、電源部１１は、制御部１７によって停止制御信号Ｓｓが出力されたときには、耐圧試験用電圧の生成および出力を停止する。この場合、電源部１１は、耐圧に対する仕様が互いに異なる各種の試験対象機器に対して、その仕様に応じた耐圧試験を可能とするために、耐圧試験用電圧を任意の電圧値に設定可能に構成されている。第１電流検出部１２は、電源部１１の一方の出力部、内部ケーブルおよび接続端子Ｔ１を経由して出力されて、第２電流検出部１５または試験対象機器Ｍｏを通過して、接続端子Ｔ２、内部ケーブル、第１電流検出部１２、および電源部１１の他方の出力部を経由する電流ループを流れる電流Ｉ１を検出してその電流値に対応する電流値データＤｉを出力する。この場合、電流Ｉ１の電流値は、試験端子Ｅ１から断線検査用プローブＰ３、第２電流検出部１５および断線検査用プローブＰ４を経由して試験端子Ｅ２に流れる電流Ｉ２と、試験対象機器Ｍｏ内において両試験端子Ｅ１，Ｅ２間を流れる電流Ｉ３との合成電流の電流値となる。記憶部１３は、制御部１７によって実行される試験対象機器Ｍｏの耐圧試験に対する合否判定の際に用いる複数のしきい値Ｄｓを記憶する。この場合、各しきい値Ｄｓは、電源部１１によって出力される耐圧試験用電圧の電圧値や各種試験対象機器に対応して予め設定されており、合格品の試験対象機器Ｍｏを流れる電流Ｉ３の最大値と電流Ｉ２の電流値とを加算した電流値よりもやや大きめの値に設定されている。つまり、しきい値Ｄｓは、試験対象機器Ｍｏを流れて耐圧不良と判別される電流値に電流Ｉ２の電流値を加算した値に設定されている。
【００１５】
表示部１４は、制御部１７によって出力される表示用画像データＤｇに基づく各種画像を表示する。第２電流検出部１５は、本発明における検出部に相当し、試験端子Ｅ１，Ｅ２間を流れる電流Ｉ２を検出して、その電流値が予め規定されたしきい値を超えているときに検出信号Ｓｄを出力する。この場合、第２電流検出部１５は、電流Ｉ２の電流値が電流Ｉ３の電流値に対して過大となって耐圧試験に影響するのを防止すべく、制御部１７によって出力される設定信号Ｓｃに従い、その内部インピーダンスが耐圧試験用電圧の各電圧値に予め対応させられたインピーダンス値に設定可能に構成されている。この場合、内部インピーダンスは、電流Ｉ２の電流値が予め決められた値となるように制御部１７によって自動的に設定される。操作部１６は、耐圧試験用電圧の電圧値を設定するための電圧値設定ボタン、しきい値を設定するためのしきい値設定ボタン、および耐圧試験をスタートさせるためのスタートボタンなどの各種ボタンが配設されて構成され、これらのボタン操作に応じた操作信号Ｓｏを出力する。
【００１６】
制御部１７は、本発明における判別部に相当し、耐圧試験器１を統括的に制御すると共に、第２電流検出部１５による検出信号Ｓｄの出力の有無に基づいて電圧印加用プローブＰ１，Ｐ２が断線しているか否かを判別する。この場合、制御部１７は、プローブＰ１，Ｐ３のクリップＣ１，Ｃ３およびプローブＰ２，Ｐ４のクリップＣ２，Ｃ４が試験対象機器Ｍｏの試験端子Ｅ１，Ｅ２にそれぞれ接続され、かつ電圧印加用プローブＰ１，Ｐ２間に耐圧試験用電圧が出力された状態において、第２電流検出部１５から検出信号Ｓｄが出力されているときには電圧印加用プローブＰ１，Ｐ２が断線していないと判別し、検出信号Ｓｄが出力されていないときには電圧印加用プローブＰ１，Ｐ２の少なくとも一方が断線していると判別する。また、制御部１７は、電源部１１に対して、出力制御信号Ｓａを出力することによって耐圧試験用電圧を出力させると共に停止制御信号Ｓｓを出力することによって耐圧試験用電圧の出力を停止させる。さらに、制御部１７は、設定信号Ｓｃを出力することにより、耐圧試験用電圧の電圧値に対応して予め決められたインピーダンス値となるように第２電流検出部１５における内部インピーダンスを設定する。また、制御部１７は、第１電流検出部１２から出力された電流値データＤｉに基づく電流値と記憶部１３に記憶されているしきい値Ｄｓとを比較することにより、試験対象機器Ｍｏの耐圧性（絶縁性）の合否を判別して、その判別結果を表示させるための表示用画像データＤｇを表示部１４に出力する。
【００１７】
次に、耐圧試験器１の全体的な動作について、図面を参照して説明する。
【００１８】
まず、図１に示すように、電圧印加用プローブＰ１，Ｐ２のクリップＣ１，Ｃ２を試験対象機器Ｍｏの試験端子Ｅ１，Ｅ２にそれぞれ接続すると共に、断線検査用プローブＰ３，Ｐ４のクリップＣ３，Ｃ４を試験端子Ｅ１，Ｅ２にそれぞれ接続する。次に、操作部１６の電圧値設定ボタンを操作して耐圧試験用電圧の電圧値を設定すると共に、しきい値設定ボタンを操作してしきい値を指定した後に、スタートボタンを操作する。これに応じて、操作部１６が操作信号Ｓｏを制御部１７に出力する。続いて、制御部１７が、操作信号Ｓｏに従い、図２に示す耐圧性合否判別処理２０を実行する。
【００１９】
この耐圧性合否判別処理２０では、制御部１７は、まず、操作部１６のボタン操作によって設定された耐圧試験用電圧の電圧値に対応するインピーダンスとなるように内部インピーダンスを設定する設定信号Ｓｃを第２電流検出部１５に出力する（ステップ２１）。これに応じて、第２電流検出部１５は、設定信号Ｓｃに従ってその内部インピーダンスを規定値に設定する（ステップ２２）。次に、制御部１７は、操作部１６のボタン操作に応じた電圧値となるように電源部１１の耐圧試験用電圧を設定した後に出力制御信号Ｓａを電源部１１に出力する（ステップ２３）。次いで、電源部１１は、設定された電圧値の耐圧試験用電圧を出力する（ステップ２４）。この際に、電圧印加用プローブＰ１，Ｐ２が断線していないときには、電圧印加用プローブＰ１，Ｐ２を介して試験端子Ｅ１，Ｅ２に耐圧試験用電圧が印加されて、断線検査用プローブＰ３、第２電流検出部１５および断線検査用プローブＰ４を介して試験端子Ｅ１から試験端子Ｅ２に電流Ｉ２が流れるため、第２電流検出部１５は、電流Ｉ２を検出して検出信号Ｓｄを出力する。また、試験対象機器Ｍｏにおける両試験端子Ｅ１，Ｅ２間に電流Ｉ３が流れるため、第１電流検出部１２は、電流Ｉ２，Ｉ３を合成した電流Ｉ１の電流値を検出して、その電流値データＤｉを出力する。
【００２０】
続いて、制御部１７は、第２電流検出部１５による検出信号Ｓｄの出力有無を監視し（ステップ２５）、この監視を耐圧性合否判別処理２０の終了まで継続する。この際に、第２電流検出部１５によって検出信号Ｓｄが出力されているときには、制御部１７は、電圧印加用プローブＰ１，Ｐ２が断線していないと判別すると共に、第１電流検出部１２によって出力された電流値データＤｉに基づく電流Ｉ１の電流値を特定する（ステップ２６）。次いで、制御部１７は、記憶部１３に記憶されているしきい値Ｄｓの中から操作部１６のボタン操作によって指定されたしきい値に対応するしきい値Ｄｓを読み出して設定する（ステップ２７）。この場合、しきい値Ｄｓは、ボタン操作によって設定されたしきい値に電流Ｉ２の電流値を加算した値に自動的に設定される。
【００２１】
次いで、制御部１７は、電流Ｉ１の電流値としきい値Ｄｓとを比較して（ステップ２８）、耐圧性の合否を判別する。この際に、電流Ｉ１の電流値がしきい値Ｄｓ以下のときには、制御部１７は、試験対象機器Ｍｏの耐圧性を合格と判別して合格を表す表示画像（例えば「ＯＫ」の文字）を表示させるための表示用画像データＤｇを出力し、電流Ｉ１の電流値がしきい値Ｄｓを超えているときには、その耐圧性を不合格と判別して不合格を表す表示画像（例えば「ＮＧ」の文字）を表示させるための表示用画像データＤｇを表示部１４に出力する（ステップ２９）。これにより、試験対象機器Ｍｏの耐圧性についての合否判別結果が表示部１４に表示される。次いで、制御部１７は、停止制御信号Ｓｓを出力することにより（ステップ３０）、電源部１１に対して耐圧試験用電圧の出力を停止させて耐圧性合否判別処理２０を終了する。この場合、制御部１７が電圧印加用プローブＰ１，Ｐ２および断線検査用プローブＰ３，Ｐ４の接続を切り替えることなく電圧印加用プローブＰ１，Ｐ２の断線を判別しつつ試験対象機器Ｍｏの耐圧性を判別するため、正確な耐圧性試験が短時間のうちに行われる。
【００２２】
一方、電圧印加用プローブＰ１，Ｐ２のいずれかが断線しているときには、電流Ｉ２が流れないため、第２電流検出部１５は検出信号Ｓｄを出力しない。この際に、制御部１７は、電圧印加用プローブＰ１，Ｐ２が断線していると判別してその旨を表す表示画像（例えば「電圧印加用プローブ断線」の文字）を表示させるための表示用画像データＤｇを表示部１４に出力する。これにより、電圧印加用プローブＰ１，Ｐ２が断線している旨の表示画像が表示部１４に表示される。また、制御部１７は、停止制御信号Ｓｓを電源部１１に出力して耐圧性合否判別処理２０を終了する。この場合、制御部１７は、検出信号Ｓｄの出力有無の監視を耐圧性合否判別処理２０の終了まで継続するため、耐圧性の合否を判別している間（ステップ２６〜２９を実行している間）において第２電流検出部１５が検出信号Ｓｄの出力を停止した際には、その時点で電圧印加用プローブＰ１，Ｐ２が断線したと判別して、その旨を表す表示画像を表示させるための表示用画像データＤｇ、および停止制御信号Ｓｓを出力して耐圧性合否判別処理２０を終了（中断）する。
【００２３】
このように、この耐圧試験器１によれば、プローブＰ１，Ｐ３およびプローブＰ２，Ｐ４が試験対象機器Ｍｏの試験端子Ｅ１，Ｅ２にそれぞれ接続され、かつ電圧印加用プローブＰ１，Ｐ２に耐圧試験用電圧が出力された状態において第２電流検出部１５によって電流Ｉ２が検出されないときに制御部１７が電圧印加用プローブＰ１，Ｐ２の少なくとも一方が断線していると判別することにより、接続を切り替えて電圧印加用のラインの断線を判別する従来の耐圧試験器とは異なり、耐圧試験を実行しつつ耐圧試験用電圧を利用して断線の有無を常時監視することができるため、たとえ耐圧試験中に断線が発生したとしてもその時点で耐圧試験を中断することができる。したがって、不合格品を合格品と誤って判別する事態を確実に防止できる結果、耐圧性の合否を正確に判別することができる。また、従来の耐圧試験器とは異なり、電圧印加用プローブＰ１，Ｐ２および断線検査用プローブＰ３，Ｐ４の接続を切り替えることなく電圧印加用プローブＰ１，Ｐ２の断線有無を瞬時に判別することができるため、試験対象機器Ｍｏの耐圧試験を短時間で行うことができる。さらに、従来の耐圧試験器とは異なり、耐圧試験用電圧を利用して断線有無を判別することにより、断線検査専用の電源を備えることなく電圧印加用プローブＰ１，Ｐ２の断線を判別することができるため、その費用分だけ耐圧試験器１を安価で、しかも小形に構成することができる。
【００２４】
また、その内部インピーダンスを耐圧試験用電圧の電圧値に対応させた値に設定可能に第２電流検出部１５を構成したことにより、耐圧試験時に試験対象機器Ｍｏに印加する耐圧試験用電圧を切り替えたとしても、電流Ｉ２が電流Ｉ３の電流値に対して過大な電流値となるのを回避することができる結果、電流Ｉ２が流れることに起因する耐圧試験への影響を十分に小さくすることができる。
【００２５】
なお、本発明は、上記した本発明における実施の形態に限定されない。例えば、本発明の実施の形態では、第２電流検出部１５を備えた耐圧試験器１について説明したが、第２電流検出部１５に代えて試験端子Ｅ１，Ｅ２間の電圧を検出する検出部を備えた耐圧試験器を採用することもできる。この構成を採用した場合、制御部１７は、プローブＰ１，Ｐ３およびプローブＰ２，Ｐ４が試験対象機器Ｍｏの試験端子Ｅ１，Ｅ２にそれぞれ接続され、かつ電圧印加用プローブＰ１，Ｐ２に耐圧試験用電圧が出力されている状態において、検出部によって電圧が検出されないときには、電圧印加用プローブＰ１，Ｐ２が断線していると判別する。この構成によれば、第２電流検出部１５を備えた耐圧試験器１と同様にして、耐圧試験を正確でしかも短時間で行うことができると共に、耐圧試験器を安価で、しかも小形に構成することができる。また、本発明の実施の形態では、電圧印加用プローブＰ１，Ｐ２が断線しているときにその旨を表す表示画像を表示部１４に表示する例について説明したが、判別結果の報知方法はこれに限定されず、音声やランプによる報知方法やこれらを組み合わせた報知方法を採用することができる。
【００２６】
【発明の効果】
以上のように、本発明に係る耐圧試験器によれば、両電圧印加用プローブおよび両断線検査用プローブが各試験端子にそれぞれ接続されると共に両電圧印加用プローブに耐圧試験用電圧が出力されている状態において検出部によって電流または電圧が検出されないときに、両電圧印加用プローブの少なくとも一方が断線していると判別部が判別することにより、接続を切り替えて電圧印加用のラインの断線を判別する従来の耐圧試験器とは異なり、耐圧試験を実行しつつ耐圧試験用電圧を利用して断線の有無を常時監視することができるため、たとえ耐圧試験中に断線が発生したとしてもその時点で耐圧試験を中断することができる。したがって、不合格品を合格品と誤って判別する事態を確実に防止できる結果、耐圧性の合否を正確に判別することができる。また、従来の耐圧試験器とは異なり、電圧印加用プローブおよび断線検査用プローブの接続を切り替えることなく電圧印加用プローブの断線有無を瞬時に判別することができるため、試験対象機器の耐圧試験を短時間で行うことができる。さらに、従来の耐圧試験器とは異なり、耐圧試験用電圧を利用して断線有無を判別することにより、断線検査専用の電源を備えることなく電圧印加用プローブの断線を判別することができるため、その費用分だけ耐圧試験器を安価で、しかも小形に構成することができる。
【００２７】
また、本発明に係る耐圧試験器によれば、設定された耐圧試験用電圧の電圧値に予め対応させられたインピーダンス値に検出部の内部インピーダンスを設定可能に構成したことにより、耐圧試験時に試験対象機器に印加する耐圧試験用電圧を切り替えたとしても、検出部を流れる電流が試験対象機器を流れる電流の電流値に対して過大な電流値となるのを回避することができる結果、検出部を電流が流れることに起因する耐圧試験への影響を十分に小さくすることができる。
【図面の簡単な説明】
【図１】本発明の実施の形態に係る耐圧試験器１の構成を示すブロック図である。
【図２】耐圧試験器１の制御部１７によって実行される耐圧性合否判別処理２０のフローチャートである。
【符号の説明】
１  耐圧試験器
１１  電源部
１５  第２電流検出部
１７  制御部
Ｃ１〜Ｃ４  クリップ
Ｅ１，Ｅ２  試験端子
Ｍｏ  試験対象機器
Ｐ１，Ｐ２  電圧印加用プローブ
Ｐ３，Ｐ４  断線検査用プローブ
Ｓｄ  検出信号
【図１】
2004226179.tif 000003
【図２】
2004226179.tif 000004